(57)【特許請求の範囲】
【請求項１】
透明ないし半透明の装飾体と、前記装飾体を透過する光を受光してはね返す板状の反射体と、これらを収納可能な枠の三者とから構成され、前記枠の前部には装飾体を保持するとともに、前記枠内において装飾体の後部に前記板状の反射体を揺動可能に保持した装身具において、 前記反射体を揺動可能に保持する手段が、前記枠に揺動可能に連結する丸環であることを特徴とする装身具。
【請求項２】
前記透明ないし半透明の装飾体が、ダイヤ、ルビー、サファイア、水晶その他の貴石あるいは半貴石を含むものであることを特徴とする請求項１に記載の装身具。
【請求項３】
前記反射体が、板状であり、必要に応じて好適な反射性を有する着色した表面材料で被覆されていることを特徴とする請求項１または２に記載の装身具。 
【発明の詳細な説明】
【技術分野】
【０００１】
本発明は、装身具前面に宝石等の透明ないし半透明の装飾体が配置されており、該装飾体の後部には首振り自在に保持された反射体が保持されていて、該反射体の揺れに応じて前記装飾体自体があたかも揺れているように見えたり、万華鏡のように見えるようにした装身具に関するものである。
【背景技術】
【０００２】
本発明のような「揺れ」を表現するようにした装身具としては、以下のようなものが知れられている。
１）装身具を構成するフレーム内に宝石を揺れるように保持する機構を内蔵させたもの。
ａ．宝石枠をフレームに１または２の丸環で細かく揺れ動けるように吊下げたもの（特許第５４２４４３５号公報、特許文献１参照）。
ｂ．宝石枠をピボット状の支軸を介してフレーム内で細かく揺れ動けるように保持したもの（特許第６５８３９７７号公報、特許文献２参照）。
ｃ．宝石枠に取り付けた回転軸をフレームに回転可能に保持させたもの（実用新案登録第３０３３１１９号公報公報、特許文献３参照）。
ｄ．宝石枠に取り付けたコイルねじをフレームに細かく首振りできるように保持させたもの（特許６３４７５００号公報、特許文献４参照）。
【０００３】
２）装身具を構成するフレーム内に宝石を保持させ、その後部に反射体を配置させたもの。
ｅ．反射体が蓄光特性のあるシールからなるもの（実用新案登録第３１０４４４７号公報、特許文献５参照）。
ｆ．反射体が球状体からなるもの（実用新案登録第３２１１２７０号公報、特許文献６参照）
【先行技術文献】
【特許文献】
【０００４】
【特許文献１】特許第５４２４４３５号公報
【特許文献２】特許第６５８３９７７号公報
【特許文献３】実用新案登録第３０３３１１９号公報
【特許文献４】特許６３４７５００号公報
【特許文献５】実用新案登録第３１０４４４７号公報
【特許文献６】実用新案登録第３２１１２７０号公報
【発明の概要】
【発明が解決しようとする課題】
【０００５】
しかしながら、前記「１）装身具を構成するフレーム内に宝石を揺れるように保持する機構を内蔵させたもの」においては、宝石枠をフレームに揺れるように保持させる機構が必要であり、製作に手間がかかってコストアップにつながるという不利益があった。
【０００６】
また、「２）装身具を構成するフレーム内に宝石を保持させ、その後部に反射体を配置させたもの」のｅ．においては、装飾体が揺れ動くような感覚には乏しい。
ｆ．においては、球状体を内蔵させたものであり、ゆらゆらと揺れる感じの装身具を提供することはできるものの、装飾体が揺れ動くような感覚を生起させたり、また多様なバリエーションを提供することには問題があった。
【０００７】
そこで本発明は、宝石枠をフレームに揺れるように保持させることがないため製作が容易であり、しかも装飾体が揺れ動く感覚を持つ装身具を、しかも多様なバリエーションで提供することができるようにすることを目的とするものである。
【課題を解決するための手段】
【０００８】
前記課題を解決するため本発明の装身具は、透明ないし半透明の装飾体と、
前記装飾体を透過する光を受光してはね返す反射体と、これらを収納可能な枠の三者とから構成され、
前記枠の前部には装飾体を保持するとともに、前記枠内において装飾体の後部に前記反射体を揺動可能に保持したことを特徴とするものである。
【０００９】
本発明の装身具は、前記透明ないし半透明の装飾体が、ダイヤ、ルビー、サファイア、水晶その他の貴石あるいは半貴石を含むものであることをも特徴とするものである。
【００１０】
本発明の装身具は、前記反射体が、板状、棒状、球状、その他の立体形状を含む適宜形状を備え、必要に応じて好適な反射性を有する着色した表面材料で被覆されていることをも特徴とするものである。
【００１１】
本発明の装身具は、前記反射体を揺動可能に保持する手段が、前記枠に揺動可能に連結する丸環や、前記枠に揺動可能に保持するピボット軸、前記枠に回転可能に保持する回転軸を含むものであることをも特徴とするものである。
【発明の効果】
【００１２】
請求項１に係る装身具は、宝石枠が揺動しないため光がチカチカすることがなく、しかも装飾体後面の反射体の揺動によって装飾体が揺れているように見える装身具を提供することが可能となった。
またその際、装身具の背後の服装が透けて見えることがなく、宝石等の装飾体の色合いや輝き類が服装等に影響されることがない。
【００１３】
請求項２に係る装身具は、前記装飾体としてダイヤ、ルビー、サファイア、水晶その他の貴石あるいは半貴石を含むものであって、非常に多様なバリエーションの装身具を提供することができる。
【００１４】
請求項３に係る装身具は、前記反射体が、板状、棒状、球状、その他の立体形状を含む適宜形状を備え、必要に応じて好適な反射性を有する着色した表面材料で被覆されているものであって、非常に多様なバリエーションの装身具を提供することができる。
【図面の簡単な説明】
【００１６】
【図１】本発明に係る装身具の１実施例を示す概略正面図である。
【図２】その概略背面図である。
【図３】その概略正面透視図である。
【図４】その概略背面透視図である。
【図５】その概略側面図である。
【図６】その概略側面透視図である。
【図７】その概略分解斜視図である。
【図８】部分的に組み立てた状態の概略斜視図である。
【図９】組立完了時の概略斜視図である。
【図１０】組立完了時の概略斜視透視図である。
【図１１】その背面側から見た概略斜視透視図である。
【図１２】その概略側面断面図である。
【図１３】反射体が揺れている状態を示す概略側面断面図である。
【図１４】本発明に係る装身具の他の実施例を示し、（ａ）はその概略側面断面図、（ｂ）は９０°向きを変えた状態の概略側面断面図である。
【発明を実施するための形態】
【００１７】
以下、本発明の装身具の実施の形態を図面に基いて説明する。
図１ないし図６に示す本発明の第１実施例において、装身具１１は透明ないし半透明の装飾体１２と、前記装飾体１２を透過する光を受光してはね返す反射体１３と、これらを収納可能な枠１４の三者とから構成されている。
そして、前記枠１４の前部には装飾体１２を保持するとともに、前記枠１４内における装飾体１２の後部に前記反射体１３を揺動可能に保持したものである。
なお、前記枠１４は金や銀、プラチナ、またこれらの合金等の貴金属で構成されている。
このような実施例においては、宝石を保持した枠１４が揺動しないため光がチカチカすることがなく、しかも装飾体１２後面の反射体１３の揺動によって装飾体１２自体が揺れているように見える装身具１１を提供することが可能となった。
【００１８】
そして、前記透明ないし半透明の装飾体１２は、カーボション型に表面側が膨らんで構成され、背面側は前記枠１４の内周面に保持されるテーパ状断面１２ａを介して平面に形成されている。このようなカーボション型の装飾体１２は、その有するレンズ作用で前記反射体１３からの光をより効果的に揺れ動くように見せることができる。
ちなみに、前記装飾体１２としてローズカットしたものを使用した場合、反対体１３からの光が装飾体１２から出射すると万華鏡のように数多くのモチーフが表現されているように見える。
なお、前記透明ないし半透明の装飾体１２としてはダイヤ、ルビー、サファイア、水晶その他の貴石あるいは半貴石とすることが望ましい。
そしてこのように前記装飾体１２としてダイヤ、ルビー、サファイア、水晶その他の貴石あるいは半貴石を利用した場合、非常に多様なバリエーションの装身具１１を提供することができる。
【００１９】
前記装身具１１において、前記反射体１３は表面を表面材料で被覆して好適な反射性を持たせた着色した板状体、例えば金属板や樹脂板からなるものである。このような表面材料としては白色あるいは前記装飾体１２の色合いと同系統の適宜の彩色を備えた塗料やメッキ等からなるコーティング材料とすることができる。
なお前記反射体１３は、板状体のほか、棒状、球状、カット面を有する宝石類、その他の立体形状を含む適宜の形状とすることができる。
そしてこのように前記反射体１３として板状体のほか、棒状、球状、カット面を有する宝石類、その他の立体形状を採用することにより、非常に多様なバリエーションの装身具１１を提供することができる。
【００２０】
前記装身具１１において、前記反射体１３を前記枠１４に揺動可能に保持する手段は、前記枠１４に揺動可能に連結した丸環１５とすることができ、これを前記板状の反射体１３の上部に設けた係合孔１３ａにはめ込んで自由に揺れるように保持したものである。
もちろん、前記反射体１３を前記枠１４に揺動可能に保持する手段としては、前記丸環１５のほか、前記枠１４に揺動可能に保持するピボット軸、前記枠１４に回転可能に保持する回転軸等とすることも可能である。
そしてこのような前記反射体１３を前記枠１４に揺動可能に保持する手段の中から適宜選択することにより、常に多様なバリエーションの装身具を提供することができる。
【００２１】
次に、図７ないし図１１に前記装身具１１の組付け過程について説明する。
すなわち前記枠１４は、図７のように前面を構成する円形の装飾体保持リング２１と、後面を構成する円形の反射体保持リング２２とを備え、各リング２１，２２間を連結する複数の連結棒２３とを有するものである。
そして、前記装飾体保持リング２１内にカーボション型の装飾体１２をはめ込んでおく。
図において２４は反射体保持リング２２の適所に差し渡した横枠で、前記丸環１５はこの横枠２４に取り付けられている。
他方、前記反射体１３には前記横枠２４に取り付けた丸環１５に対応する位置に連結孔１３ａが配置されている。もちろん、前記丸環の数や取付位置等は揺れ具合等を考慮して適宜決定することができる。
【００２２】
その上で、図８に示すように前記装飾体保持リング２１に複数の連結棒２３を所定の間隔で取り付ける。
他方、前記反射体１３を前記横枠２４に取り付けた丸環１５に揺動可能に吊り下げておく。
その後、図９に示すように、前記複数の連結棒２３の後端を反射体保持リング２２に取り付ければ組立完了である。
ちなみに、図１０は前記装身具１１の組立完了時の概略斜視透視図で、図１１はそれを背面側から見た概略斜視透視図である。
【００２３】
以上の構成を備えた本発明の装身具１１の構成を、図１２の断面図を用いて説明する。
すなわち、前記装飾体保持リング２１内にカーボション型の装飾体１２をはめ込んでおく。その際、前記カーボションの外縁はテーパ状断面１２ａを備えており、このテーパ部分を前記装飾体保持リング２１の内周面に形成したテーパ状受け面２１ａに係合して保持させる。なお両者の結合は接着剤でも、爪止めや伏込み、彫止めその他の適宜手段を採用することができる。
他方、前記反射体１３は前記横枠２４に取り付けた丸環１５に揺動可能に吊り下げてある。
【００２４】
上記構成の本実施例の装身具１１は、ブローチやネックレス、イヤリング等に使用した場合、身体の動きに応じて前記反射体１３が細かく首振りし、このような反射体１３の揺動によって装飾体１２自体が揺れているように見える装身具１１を提供することができるようになった。
【００２５】
図１４は本発明に係る装身具の第２実施例を示すものである。
本実施例においては、装身具３１は上向きである。そのため反射体３３は枠３４の反射体保持リング３４ａの適所から所定の高さに立ち上げた上で差し渡した横枠３４ｂに、前記反射体３３の中央に立設した支柱３３ａの上端に設けた丸環３３ｂを挿通して首振り可能に保持されている。
したがって、本実施例の装身具３１は、指輪やブレスレット等に使用した場合、腕等の動きに応じて前記反射体３３が細かく首振りし、このような反射体３３の揺動によって装飾体３２自体が揺れているように見えるのである。
【産業上の利用可能性】
【００２６】
本発明に係る装身具によれば、宝石枠をフレームに揺れるように保持させることがないため製作が容易であり、しかも装飾体が揺れ動く感覚を持つ装身具を、しかも多様なバリエーションで提供することができる。
もちろん、本発明の要旨を変更しない限り、その他さまざまな用途にも応用することができることは言うまでもない。
【符号の説明】
【００２７】
１１  装身具
１２  装飾体
１２ａ  テーパ状断面
１３  反射体
１３ａ  連克孔
１４  枠
１５  丸環
２１  装飾体保持リング
２１ａ  テーパ状受け面
２２  反射体保持リング
２３  連結棒
２４  横枠
３１  装身具
３２  装飾体
３３  反射体
３３ａ  支柱
３３ｂ  丸環
３４  枠
３４ａ  反射体保持リング
３４ｂ  横枠
【図１】
0006986763.tif 000002
【図２】
0006986763.tif 000003
【図３】
0006986763.tif 000004
【図４】
0006986763.tif 000005
【図５】
0006986763.tif 000006
【図６】
0006986763.tif 000007
【図７】
0006986763.tif 000008
【図８】
0006986763.tif 000009
【図９】
0006986763.tif 000010
【図１０】
0006986763.tif 000011
【図１１】
0006986763.tif 000012
【図１２】
0006986763.tif 000013
【図１３】
0006986763.tif 000014
【図１４】
0006986763.tif 000015